(57)【要約】      （修正有）【課題】長い間の繰り返しの開閉にも挟着力の低下をもたらすことのないイヤリングを提供しようとするものである。【解決手段】突き合わせてクリップ式に耳たぶを挟着する一対のイヤリング本体１１、１２を、基端部近傍で回転軸１３により回動可能に軸着し、軸着部分の一方を軸受部１４とし、他方を回動部１５とするとともに、軸受部と回動部との間に、回転軸から放射方向に延びるリブ１９を設けた板バネ１８を介在させて、軸受部もしくは回動部のいずれかに取り付け、一対のイヤリング本体を相対的に回動させると適宜位置で停止し、耳たぶを挟み付けると耳たぶから脱落することがないようにしたことを特徴とするクリップ式イヤリング。【選択図】図１
0003107841.tif 000002
【実用新案登録請求の範囲】
【請求項１】
突き合わせてクリップ式に耳たぶを挟着する一対のイヤリング本体を、基端部近傍で回転軸により回動可能に軸着し、
軸着部分の一方を軸受部とし、他方を回動部とするとともに、
軸受部と回動部との間に、回転軸から放射方向に延びるリブを設けた板バネを介在させて、軸受部もしくは回動部のいずれかに取り付け、
一対のイヤリング本体を相対的に回動させると適宜位置で停止し、耳たぶを挟み付けると耳たぶから脱落することがないようにしたことを特徴とするクリップ式イヤリング。
【請求項２】
突き合わせてクリップ式に耳たぶを挟着する一対のイヤリング本体が、一方が装飾機能を備えた装飾部であり、他方が耳たぶを押圧する耳当て片であることを特徴とする請求項１に記載のクリップ式イヤリング。
【請求項３】
突き合わせてクリップ式に耳たぶを挟着する一対のイヤリング本体が、それぞれ装飾機能を備えており、いずれも耳たぶの前面に使用することができるようにしたことを特徴とする請求項１に記載のクリップ式イヤリング。
【請求項４】
軸受部と回動部との間に取り付けた、回転軸から放射方向に延びるリブを設けた板バネが、回転軸への取付孔を備え、かつ軸受部もしくは回動部のいずれかに従動する係止部を有していることを特徴とする請求項１ないし３のいずれかに記載のクリップ式イヤリング。
【考案の詳細な説明】
【技術分野】
【０００１】
この考案はクリップ式イヤリングに関するものである。
【背景技術】
【０００２】
従来のイヤリングにあって、板バネやコイルバネの弾性を利用して耳たぶに挟みつけるクリップ式のイヤリングが知られているが、耳たぶに対する挟着力の調整が難しく、長い時間耳たぶに装着していると耳たぶが痛くなってしまうという欠点があった。
【０００３】
この耳たぶへの挟着力を調整するものとして、実開平2-147023号公報（特許文献1参照）に示すような、イヤリング取付板の後部に止板を回動開閉自在に噛合軸止めし、前記噛合軸止め部の近傍に前記止板を広狭数段において切替掛止するストッパーを設けたイヤリングが知られている。
また、耳たぶを挟着するリバーシブルな挟着部材（装飾体）を備え、この挟着部材（装飾体）を回転軸の回転時の摩擦抵抗の程度によって挟着力を調整しようとするものがある。これは一方の挟着部材側からの一対の取付脚部と、他方の挟着部材側からの基部とを加締めて軸着し、挟着部材が耳たぶを挟む際にはその両者の接触摩擦抵抗を増そうとするものであり、耳たぶへ大きな挟着力を与えないですむという特徴がある（特開平10-276810号公報  特許文献２参照）。
【特許文献１】実開平2-147023号公報
【特許文献２】特開平10-276810号公報
【考案の開示】
【考案が解決しようとする課題】
【０００４】
しかるに特開平10-276810号公報（特許文献２参照）記載の考案にも大きな欠点があり、長い期間にわたってこの挟着部材の開閉が繰り返されると加締められた取付脚部と他方の挟着部材の基部の摩耗が発生し、使いものにならなくなるという欠点がある。
【０００５】
この考案は以上の欠点を改良しようとするものであり、長い間の繰り返しの開閉にも挟着力の低下をもたらすことのないイヤリングを提供しようとするものである。
【課題を解決するための手段】
【０００６】
すなわち、この考案のクリップ式イヤリングは以上の課題を解決するためになされたものであって、
突き合わせてクリップ式に耳たぶを挟着する一対のイヤリング本体を、基端部近傍で回転軸により回動可能に軸着し、
軸着部分の一方を軸受部とし、他方を回動部とするとともに、
軸受部と回動部との間に、回転軸から放射方向に延びるリブを設けた板バネを介在させて、軸受部もしくは回動部のいずれかに取り付け、
一対のイヤリング本体を相対的に回動させると適宜位置で停止し、耳たぶを挟み付けると耳たぶから脱落することがないようにしたことを特徴とするものである。
【０００７】
この考案のクリップ式イヤリングは、前記突き合わせてクリップ式に耳たぶを挟着する一対のイヤリング本体が、一方が装飾機能を備えた装飾部であり、他方が耳たぶを押圧する耳当て片であることをも特徴とするものである。
【０００８】
この考案のクリップ式イヤリングは、前記突き合わせてクリップ式に耳たぶを挟着する一対のイヤリング本体が、それぞれ装飾機能を備えており、いずれも耳たぶの前面に使用することができるようにしたことをも特徴とするものである。
【０００９】
この考案のクリップ式イヤリングは、前記軸受部と回動部との間に取り付けた、回転軸から放射方向に延びるリブを設けた板バネが、回転軸への取付孔を備え、かつ軸受部もしくは回動部のいずれかに従動する係止部を有していることをも特徴とするものである。
【考案の効果】
【００１０】
この考案によれば、長い間の繰り返しの開閉にも挟着力の低下をもたらすことのないクリップ式イヤリングを提供することが可能となった。
【考案を実施するための最良の形態】
【００１１】
以下、この考案のクリップ式イヤリングの実施の形態を図面に基いて詳細に説明する。
図１はこの考案のクリップ式イヤリングの１実施例を示す分解斜視図、図２はその要部拡大断面図、図３は組付けた状態の要部拡大断面図、図４は板バネの拡大断面図である。
【００１２】
この考案のクリップ式イヤリングを示す図１ないし図４において、突き合わせてクリップ式に耳たぶを挟着する一対のイヤリング本体１１，１２を備えており、両者は基端部近傍で回転軸１３により回動可能に軸着されている。なお、上記イヤリング本体１１，１２はＫ１８等の貴金属製とすることが望ましい。
【００１３】
一対のイヤリング本体１１，１２は、軸着部分の一方を軸受部（イヤリング本体１２側）１４とし、他方を回動部（イヤリング本体１１側）１５としたものである。
その上で、一対のイヤリング本体１１，１２の一方（イヤリング本体１１）にはマベパール等からなる装飾体１６を取り付け、他方（イヤリング本体１２：耳当て片）にはループ状の耳当て部１７が形成されている。
【００１４】
前記軸受部１４と回動部１５との間には、回転軸１３位置から放射方向に延びるリブ１９を設けた板バネ１８が回動部１５を挟んで一対介在させてあり、この板バネ１８は軸受部１４に取り付けている。もちろん、回動部１５側に取り付けてもよい。
板バネ１８をより詳細に説明すると、板バネ１８の先端に係止用突起２１を設け、軸受部１４の外縁立上げ部２２に設けた切欠き部２３にこの係止用突起２１をはめ込んで回り止めしているのである。また板バネ１８は係止用突起２１とリブ１９との間に回転軸１３への取付孔２４を備えている。したがって板バネ１８は、回転軸１３と係止用突起２１とで軸受部１４に回転しないよう固定される。
上記板バネ１８の素材としては、リン青銅、ステンレス等が好適に使用できる。
【００１５】
また、回動部１５は、軸受部１４に設けた軸孔２５に対応する軸孔２６が設けられており、この軸孔２６から軸受部１４内に扇型のスライド部２７が延長して形成されている。２８は軸孔２６とスライド部２７との間に設けた円弧状の溝である。
【００１６】
以上のように構成したクリップ式イヤリングの使用に際しては先ず、一対のイヤリング本体１１，１２の一方のイヤリング本体１２（耳当て片）を開く。その上で一対のイヤリング本体１１，１２間に耳たぶを挿入してイヤリング本体１２（耳当て片）を閉じることにより、クリップ式イヤリングは耳たぶを挟み付けるようにして取り付けられる。その際、軸受部１４側の板バネ１８が回動部１５に設けた扇型のスライド部２７と摺動し、適宜位置で停止される。
したがって、クリップ式イヤリングは耳たぶを確実に挟み付け、耳たぶから脱落することがない。
【００１７】
この考案のクリップ式イヤリングはまた、前記突き合わせてクリップ式に耳たぶを挟着する一対のイヤリング本体が、いわゆる中折れ式にそれぞれ装飾機能を備えており、いずれも耳たぶの前面側に使用することができるようにすることもできる。
【産業上の利用可能性】
【００１８】
この考案は以上のように構成されているので上記した用途のみならず、軸受構造を備えた装身具の種々の用途に利用することができる。
【図面の簡単な説明】
【００１９】
【図１】この考案のクリップ式イヤリングの１実施例を示す分解斜視図である。
【図２】その要部拡大断面図である。
【図３】組付けた状態の要部拡大断面図である。
【図４】板バネの拡大断面図である。
【符号の説明】
【００２０】
１１，１２  イヤリング本体
１３  回転軸
１４  軸受部
１５  回動部
１６  装飾体
１７  耳当て部
１８  板バネ
１９  リブ
２１  係止用突起
２２  外縁立上げ部
２３  切欠き部
２４  取付孔
２５，２６  軸孔
２７  扇型のスライド部
２８  円弧状の溝
【図１】
0003107841.tif 000003
【図２】
0003107841.tif 000004
【図３】
0003107841.tif 000005
【図４】
0003107841.tif 000006